【手続補正書】
【提出日】令和3年1月18日(2021.1.18)
【手続補正１】
【補正対象書類名】特許請求の範囲
【補正対象項目名】全文
【補正方法】変更
【補正の内容】
【特許請求の範囲】
【請求項１】
外部から更新データを取得し、その取得した更新データを書換え対象の電子制御装置に配信し、プログラムの書換えを書換え対象の電子制御装置に指示する車両用マスタ装置（１１）において、
外部から書換え諸元データを取得する書換え諸元データ取得部（７４）と、
前記書換え諸元データ取得部により取得された書換え諸元データを解析する書換え諸元データ解析部（７５）と、
前記書換え諸元データ解析部により解析された書換え諸元データに基づいて書換え対象の電子制御装置をグループ化してグループを生成するグループ生成部（８５ａ）と、
前記グループ生成部により生成されたグループを単位とし、インストール、ロールバック及びアクティベートのうち少なくとも何れかを書換え対象の電子制御装置に指示する指示実行部（８５ｂ）と、を備え、
前記指示実行部は、インストールを書換え対象の電子制御装置に指示する場合に、前記書換え諸元データに基づいて決定した電子制御装置の順序で指示する車両用マスタ装置。
【請求項２】
前記指示実行部は、１つの配信パッケージに複数のグループがある場合に、書換え諸元データにより指定されているグループの順序にしたがってインストール、ロールバック及びアクティベートのうち少なくとも何れかを書換え対象の電子制御装置に指示する請求項１に記載した車両用マスタ装置。
【請求項３】
前記指示実行部は、インストールを書換え対象の電子制御装置に指示する場合に、書換え諸元データにより指定されている電子制御装置の順序にしたがってインストールを指示する請求項１又は２に記載した車両用マスタ装置。
【請求項４】
前記指示実行部は、書換え対象の電子制御装置に１面単独メモリの電子制御装置が含まれている場合に、グループ内の電子制御装置のうち最後にインストールを１面単独メモリの電子制御装置に指示する請求項３に車両用マスタ装置。
【請求項５】
前記指示実行部は、連携動作する関係にある書換え対象の電子制御装置にインストールを指示する場合に、データの送信側として動作する書換え対象の電子制御装置に対してインストールを先に指示し、データの受信側として動作する書換え対象の電子制御装置に対してインストールを後から指示する請求項１又は２に記載した車両用マスタ装置。
【請求項６】
前記指示実行部は、インストールを同一グループに属する第１書換え対象の電子制御装置及び第２書換え対象の電子制御装置に指示する場合に、第１書換え対象の電子制御装置においてインストールを成功し、第２書換え対象の電子制御装置においてインストールを失敗した場合に、ロールバックを第２書換え対象の電子制御装置に指示し、ロールバックを第１書換え対象の電子制御装置に指示する請求項１から５の何れか一項に記載した車両用マスタ装置。
【請求項７】
前記指示実行部は、インストールを第１グループに属する書換え対象の電子制御装置及び第２グループに属する書換え対象の電子制御装置に指示する場合に、第１グループに属する書換え対象の電子制御装置おいてインストールを失敗した場合に、インストールを第２グループに属する書換え対象の電子制御装置に指示する請求項１から６の何れか一項に記載した車両用マスタ装置。
【請求項８】
前記指示実行部は、アクティベートを書換え対象の電子制御装置に指示する場合に、アクティベートをグループ内の全ての書換え対象の電子制御装置に同時に指示する請求項１から７の何れか一項に記載した車両用マスタ装置。
【請求項９】
外部から更新データを取得し、その取得した更新データを書換え対象の電子制御装置に配信し、プログラムの書換えを書換え対象の電子制御装置に指示する車両用マスタ装置（１１）において、
外部から書換え諸元データを取得する書換え諸元データ取得手順と、
前記書換え諸元データ取得手順により取得した書換え諸元データを解析する書換え諸元データ解析手順と、
前記書換え諸元データ解析手順により解析した書換え諸元データに基づいて書換え対象の電子制御装置をグループ化してグループを生成するグループ生成手順と、
前記グループ生成部により生成されたグループを単位とし、インストール、ロールバック及びアクティベートのうち少なくとも何れかを書換え対象の電子制御装置に指示し、インストールを書換え対象の電子制御装置に指示する場合に、前記書換え諸元データに基づいて決定した電子制御装置の順序で指示する指示実行手順と、を行う書換え対象のグループ管理方法。
【請求項１０】
外部から更新データを取得し、その取得した更新データを書換え対象の電子制御装置に配信し、プログラムの書換えを書換え対象の電子制御装置に指示する車両用マスタ装置（１１）に、
外部から書換え諸元データを取得する書換え諸元データ取得手順と、
前記書換え諸元データ取得手順により取得した書換え諸元データを解析する書換え諸元データ解析手順と、
前記書換え諸元データ解析手順により解析した書換え諸元データに基づいて書換え対象の電子制御装置をグループ化してグループを生成するグループ生成手順と、
前記グループ生成部により生成されたグループを単位とし、インストール、ロールバック及びアクティベートのうち少なくとも何れかを書換え対象の電子制御装置に指示し、インストールを書換え対象の電子制御装置に指示する場合に、前記書換え諸元データに基づいて決定した電子制御装置の順序で指示する指示実行手順と、を実行させる書換え対象のグループ管理プログラム。
【請求項１１】
外部から更新データを取得し、その更新データを用いたインストール、ロールバック及びアクティベートのうち少なくとも何れかを書換え対象の電子制御装置に指示し、インストールを書換え対象の電子制御装置に指示する場合に、書換え諸元データに基づいて決定した電子制御装置の順序で指示する指示実行部（８５ｂ）を備えるコンピュータに用いられ、
書換え対象の電子制御装置を識別する装置識別情報と、当該装置識別情報に対応する電子制御装置が属するグループの識別情報と、を含む、プログラム更新のための諸元データのデータ構造であって、
前記装置識別情報に対応する電子制御装置が属するグループの識別情報は、前記装置識別情報に対応する電子制御装置に対するインストール、ロールバック及びアクティベートのうち少なくとも何れかを、前記グループを単位として実行する処理に用いられる、プログラム更新のための諸元データのデータ構造。
【請求項１２】
前記諸元データは、前記装置識別情報及び当該装置識別情報に対応する電子制御装置に関する情報が、電子制御装置の順番に並んだデータ構造であって、
前記順番は、前記装置識別情報に対応する電子制御装置に対するインストール、ロールバック及びアクティベートのうち少なくとも何れかを、前記順番にしたがって実行する処理に用いられる請求項１１に記載した諸元データのデータ構造。
【手続補正２】
【補正対象書類名】明細書
【補正対象項目名】０００６
【補正方法】変更
【補正の内容】
【０００６】
請求項１に記載した車両用マスタ装置（１１）によれば、外部から更新データを取得し、その取得した更新データを書換え対象の電子制御装置に配信し、プログラムの書換えを書換え対象の電子制御装置に指示する。書換え諸元データ取得部（７４）は、外部から書換え諸元データを取得する。書換え諸元データ解析部（７５）は、書換え諸元データが書換え諸元データ取得部により取得されると、その取得された書換え諸元データを解析する。グループ生成部（８５ａ）は、書換え諸元データが書換え諸元データ解析部により解析されると、その解析された書換え諸元データに基づいて書換え対象の電子制御装置をグループ化してグループを生成する。指示実行部（８５ｂ）は、グループがグループ生成部により生成されると、その生成されたグループを単位とし、インストール、ロールバック又はアクティベートのうち少なくとも何れかを書換え対象の電子制御装置に指示する。指示実行部は、インストールを書換え対象の電子制御装置に指示する場合に、書換え諸元データに基づいて決定した電子制御装置の順序で指示する。